(57)【要約】      （修正有）【課題】高さ調整後の固定が簡単、迅速、確実に行え、且つ、長期間にわたって確実に固定強度を維持することができ、耐久性も良好であり、マンション等の二重床用支持脚体として有用な床支持脚体を提供する。【解決手段】インナーパイプ１の上部の雄ネジ部１１に床板支持体２３の雌ネジ管２２を螺着すると共に、下部の無ネジ部１２に台座体３の無ネジ管３１を嵌合し、インナーパイプ１を左、右の何れかに回動すれば、床板支持体２及び台座体３を互いに接近または離反させて高さ調整が行われる。そして、所望の位置に高さ調整が完了すれば、インナーパイプ１の内部にテーパーピン４を貫挿し、上端部のテーパー状先端部４１によって、上部の雄ネジ部１１の先端を拡開し、インナーパイプ１の回動を阻止・固定される。【選択図】図１
2006045810.tif 000002
【特許請求の範囲】
【請求項１】
上部または下部の一方に雄ネジを刻設すると共に、他方を無ネジとなし、且つ、雄ネジ部の先端を拡開可能に形成してなる雄ネジ管よりなるインナーパイプと、
インナーパイプの雄ネジ部に螺着する雌ネジを刻設した雌ネジ管、または無ネジ部に嵌合する無ネジ管を床板支持板に垂設してなる床板支持体と、
インナーパイプの無ネジ部に嵌合する無ネジ管、または雄ネジ部に螺着する雌ネジを刻設した雌ネジ管を台座に突設してなる台座体と、
インナーパイプの内部に貫挿して雄ネジ部の先端を拡開させるテーパー状先端部を有するテーパーピンとよりなり、
上記インナーパイプの上部に床板支持体の雌ネジ管または無ネジ管を螺着または嵌合すると共に、下部に台座体の無ネジ管または雌ネジ管を嵌合または螺着し、インナーパイプを回動することによって、床板支持体を昇降させて高さ調整し、且つ、インナーパイプの内部にテーパーピンを貫挿し、テーパー状先端部によって、雄ネジ部の先端を拡開させて回動を阻止・固定するようにしてなることを特徴とする床支持脚体。
【請求項２】
上部及び下部に互いに逆ネジ状に雄ネジを刻設し、且つ、各雄ネジ部の先端を拡開可能に形成してなる雄ネジ管よりなるインナーパイプと、
インナーパイプの上部の雄ネジ部に螺着する雌ネジを刻設した雌ネジ管を床板支持板に垂設してなる床板支持体と、
インナーパイプの下部の雄ネジ部に螺着する雌ネジを刻設した雌ネジ管を台座に突設してなる台座体と、
インナーパイプの内部に貫挿して上部及び下部の雄ネジ部の先端を拡開させるテーパー状先端部を上端部及び下端部に有するテーパーピンとよりなり、
上記インナーパイプの上部の雄ネジ部に床板支持体の雌ネジ管を螺着すると共に、下部の雄ネジ部に台座体の雌ネジ管を螺着し、インナーパイプを回動することによって、床板支持体及び台座体を互いに接近または離反させて高さ調整し、且つ、インナーパイプの内部にテーパーピンを貫挿し、上端部及び下端部のテーパー状先端部によって、上部及び下部の雄ネジ部の先端を拡開させて回動を阻止・固定するようにしてなることを特徴とする床支持脚体。
【請求項３】
請求項１又は２の何れかにおいて、
インナーパイプの雄ネジ部の先端にスリットを形成して、インナーパイプの雄ネジ部の先端を拡開可能にしてなる床支持脚体。
【請求項４】
請求項１〜３の何れかにおいて、
テーパーピンのテーパー状先端部を断面逆台形状に形成し、断面逆台形状のテーパー面に沿って、インナーパイプの雄ネジ部の先端を拡開可能にしてなる床支持脚体。
【請求項５】
請求項１〜４の何れかにおいて、
インナーパイプの上端部に回動工具係止部を形成してなる床支持脚体。
【請求項６】
請求項５において、
回動工具係止部を回動工具係止突起にて形成してなる床支持脚体。
【請求項７】
請求項５において、
回動工具係止部を回動工具係止溝にて形成してなる床支持脚体。
【発明の詳細な説明】
【技術分野】
【０００１】
本発明は、床支持脚体に関するものである。さらに詳しくは、本発明は、高さ調整後の固定が簡単、迅速、確実に行え、且つ、長期間にわたって確実に固定強度を維持することができ、耐久性も良好であり、マンション等の二重床用支持脚体として有用な床支持脚体に関するものである。
【背景技術】
【０００２】
従来、二重床用支持脚体としては、例えば、接床基台に回動自在に立設した中空支持ボルトの上端部に、レベル調整用ナットを介して支持板を装着してなる床支持脚体が知られている（例えば、特許文献１、２参照。）。
【特許文献１】特開２００２−８１１９５号公報
【特許文献２】特開２００２−８１１９６号公報
【発明の開示】
【発明が解決しようとする課題】
【０００３】
上記特許文献１、２に記載の床支持脚体においては、高さ調整後、中空支持ボルトの中空部に接着剤を注入して硬化させることによって、中空支持ボルトの回動を阻止し、固定して施工している。
【０００４】
しかしながら、上記中空ボルトの中空部に粘性材料である接着剤を注入するのに手間がかかり、また接着剤が中空支持ボルトの中空部全体にわたって均密に注入されず、確実に固定できないことがあり、且つ、長期間の使用に際して、接着剤が経年変化して劣化し、固定強度を維持することができなくなり、耐久性が悪いという問題があった。
【０００５】
本発明は、かかる問題を解決するためになされたものであり、高さ調整後の固定が簡単、迅速、確実に行え、且つ、長期間にわたって確実に固定強度を維持することができ、耐久性も良好であり、マンション等の二重床用支持脚体として有用な床支持脚体を提供することを課題とするものである。
【課題を解決するための手段】
【０００６】
上記目的を達成するため、
請求項１に係る床支持脚体は、上部または下部の一方に雄ネジを刻設すると共に、他方を無ネジとなし、且つ、雄ネジ部の先端を拡開可能に形成してなる雄ネジ管よりなるインナーパイプと、インナーパイプの雄ネジ部に螺着する雌ネジを刻設した雌ネジ管、または無ネジ部に嵌合する無ネジ管を床板支持板に垂設してなる床板支持体と、インナーパイプの無ネジ部に嵌合する無ネジ管、または雄ネジ部に螺着する雌ネジを刻設した雌ネジ管を台座に突設してなる台座体と、インナーパイプの内部に貫挿して雄ネジ部の先端を拡開させるテーパー状先端部を有するテーパーピンとよりなり、上記インナーパイプの上部に床板支持体の雌ネジ管または無ネジ管を螺着または嵌合すると共に、下部に台座体の無ネジ管または雌ネジ管を嵌合または螺着し、インナーパイプを回動することによって、床板支持体を昇降させて高さ調整し、且つ、インナーパイプの内部にテーパーピンを貫挿し、テーパー状先端部によって、雄ネジ部の先端を拡開させて回動を阻止・固定するようにしてなることを特徴とする。
【０００７】
このものでは、テーパーピンの貫挿というワンタッチ操作によって、高さ調整後の固定が簡単、迅速に行え、またテーパーピンによる機械的固定であるため、接着剤による化学的固定（接着固定）に比して、確実に固定することができ、且つ、長期間の使用に際して、経年変化して劣化するおそれがなく、長期間にわたって確実に固定強度を維持することができ、耐久性も良好であり、マンション等の二重床用支持脚体として有用である。
【０００８】
請求項２に係る床支持脚体は、上部及び下部に互いに逆ネジ状に雄ネジを刻設し、且つ、各雄ネジ部の先端を拡開可能に形成してなる雄ネジ管よりなるインナーパイプと、インナーパイプの上部の雄ネジ部に螺着する雌ネジを刻設した雌ネジ管を床板支持板に垂設してなる床板支持体と、インナーパイプの下部の雄ネジ部に螺着する雌ネジを刻設した雌ネジ管を台座に突設してなる台座体と、インナーパイプの内部に貫挿して上部及び下部の雄ネジ部の先端を拡開させるテーパー状先端部を上端部及び下端部に有するテーパーピンとよりなり、上記インナーパイプの上部の雄ネジ部に床板支持体の雌ネジ管を螺着すると共に、下部の雄ネジ部に台座体の雌ネジ管を螺着し、インナーパイプを回動することによって、床板支持体及び台座体を互いに接近または離反させて高さ調整し、且つ、インナーパイプの内部にテーパーピンを貫挿し、上端部及び下端部のテーパー状先端部によって、上部及び下部の雄ネジ部の先端を拡開させて回動を阻止・固定するようにしてなることを特徴とする。
【０００９】
このものでは、インナーパイプの上部及び下部に逆ネジ状に刻設した雄ネジを形成しているので、床板支持体及び台座体を迅速、大幅に高さ調整することができる。
【００１０】
請求項３に係る床支持脚体は、請求項１又は２の何れかにおいて、インナーパイプの雄ネジ部の先端にスリットを形成して、インナーパイプの雄ネジ部の先端を拡開可能にしてなる。
【００１１】
このものでは、インナーパイプの雄ネジ部の先端に形成したスリットを介して、インナーパイプの雄ネジ部の先端を円滑、容易に拡開させて固定することができる。
【００１２】
請求項４に係る床支持脚体は、請求項１〜３の何れかにおいて、テーパーピンのテーパー状先端部を断面逆台形状に形成し、断面逆台形状のテーパー面に沿って、インナーパイプの雄ネジ部の先端を拡開可能にしてなる。
【００１３】
このものでは、断面逆台形状に形成したテーパー状先端部のテーパー面に沿って、インナーパイプの雄ネジ部の先端を円滑に拡開させて固定することができる。
【００１４】
請求項５に係る床支持脚体は、請求項１〜４の何れかにおいて、インナーパイプの上端部に回動工具係止部を形成してなる。
【００１５】
このものでは、インナーパイプの上端部に形成した回動工具係止部にネジ回し等の回動工具を係止させて回動することによって、床表面側からインナーパイプを容易に回動することができる。
【００１６】
請求項６に係る床支持脚体は、請求項５において、回動工具係止部を回動工具係止突起にて形成してなる。
【００１７】
このものでは、インナーパイプの上端部に切削加工等を施して回動工具係止突起を形成するだけで、回動工具係止部を容易に形成することができる。
【００１８】
請求項７に係る床支持脚体は、請求項５において、回動工具係止部を回動工具係止溝にて形成してなる。
【００１９】
このものでは、インナーパイプの上端部に切削加工等を施して回動工具係止溝を形成するだけで、回動工具係止部を容易に形成することができる。
【発明の効果】
【００２０】
本発明によれば、次のような効果がある。
【００２１】
請求項１に係る床支持脚体によれば、インナーパイプを回動することによって、高さ調整した後、インナーパイプの内部にテーパーピンを貫挿し、テーパー状先端部によって、雄ネジ部の先端を拡開させてインナーパイプの回動を阻止するだけで固定することができるため、テーパーピンの貫挿というワンタッチ操作によって、高さ調整後の固定が簡単、迅速に行え、また、テーパーピンによる機械的固定であるため、接着剤による化学的固定（接着固定）に比して、確実に固定することができ、且つ、長期間の使用に際して、経年変化して劣化するおそれがなく、長期間にわたって確実に固定強度を維持することができ、耐久性も良好であり、マンション等の二重床用支持脚体として有用である。
【００２２】
請求項２に係る床支持脚体によれば、請求項１の効果に加え、インナーパイプの上部及び下部に互いに逆ネジ状に刻設した雄ネジを介して、床板支持体及び台座体を互いに接近または離反させて高さ調整することができるため、迅速、大幅に高さ調整することができる。
【００２３】
請求項３に係る床支持脚体によれば、請求項１及び請求項２の効果に加え、インナーパイプの雄ネジ部の先端に形成したスリットを介して、インナーパイプの雄ネジ部の先端を円滑、容易に拡開させて固定することができる。
【００２４】
請求項４に係る床支持脚体によれば、請求項１〜請求項３の効果に加え、断面逆台形状に形成したテーパー状先端部のテーパー面に沿って、インナーパイプの雄ネジ部の先端を円滑に拡開させて固定することができる。
【００２５】
請求項５に係る床支持脚体によれば、請求項１〜請求項４の効果に加え、インナーパイプの上端部に形成した回動工具係止部にネジ回し等の回動工具を係止させて回動することによって、床表面側からインナーパイプを容易に回動することができる。
【００２６】
請求項６、７に係る床支持脚体によれば、請求項５の効果に加え、インナーパイプの上端部に切削加工等を施して回動工具係止突起または回動工具係止溝を形成するだけで、回動工具係止部を容易に形成することができる。
【発明を実施するための最良の形態】
【００２７】
以下、本発明に係る床支持脚体Ａを図面に基づき説明する。
【実施例１】
【００２８】
図１は、本発明に係る床支持脚体Ａの一実施例を示す分解斜視図であり、図２は、図１を組み付けた状態の縱断面図である。
【００２９】
この床支持脚体Ａは、上部に雄ネジを刻設した雄ネジ部１１を形成すると共に、下部を無ネジ部１２となし、且つ、雄ネジ部１１の先端を拡開可能に形成してなる雄ネジ管より成るインナーパイプ１と、
インナーパイプ１の雄ネジ部１１に螺着する雌ネジ２１を刻設した雌ネジ管２２を床板支持板２３に垂設してなる床板支持体２と、
インナーパイプ１の無ネジ部１２に嵌合する無ネジ管３１を台座３２に突設してなる台座体３と、
インナーパイプ１の内部に貫挿して雄ネジ部１１の先端を拡開させるテーパー状先端部４１を有するテーパーピン４とよりなる。
【００３０】
図３は、本発明に係る床支持脚体Ａの他の実施例を示す分解斜視図であり、図４は、図３を組み付けた状態の縱断面図である。
【００３１】
上部及び下部に互いに逆ネジ状に雄ネジを刻設した雄ネジ部１１、１１を形成すると共に、各雄ネジ部１１、１１の先端を拡開可能に形成してなる雄ネジ管より成るインナーパイプ１と、
インナーパイプ１の上部の雄ネジ部１１に螺着する雌ネジ２１を刻設した雌ネジ管２２を床板支持板２３に垂設してなる床板支持体２と、
インナーパイプ１の下部の雄ネジ部１１に螺着する雌ネジ３３を刻設した雌ネジ管３４を台座３２に突設してなる台座体３と、
インナーパイプ１の内部に貫挿して上部及び下部の雄ネジ部１１の先端を拡開させるテーパー状先端部４１、４２を上端部及び下端部に有するテーパーピン４とよりなる。
【００３２】
なお、図１、図２では、テーパー状先端部４１を、テーパーピン４の上部にのみ形成したものを例示しているが、このテーパ状先端部４１をテーパーピン４の下部にのみ形成し、これに対応するように、テーパーピン１の下部に雄ネジ部１１を形成すると共に、上部を無ネジ部１２とし、また、雌ネジ管２２を無ネジのものに代え、無ネジ管３１に雄ネジ２１を形成しても良いことは勿論である。
【００３３】
以下、図３、図４を代表例として、詳説する。
【００３４】
インナーパイプ１は、金属管または硬質合成樹脂管が利用され、その上部及び下部の外面には、互いに逆ネジ状に形成された雄ネジを刻設して雄ネジ部１１、１１を形成している。
【００３５】
この雄ネジ部１１の各々の先端には、４条のスリット１３が対向して形成され、インナーパイプ１の雄ネジ部１１の先端を拡開可能にしてなる。
【００３６】
ここで、雄ネジ部１１の先端を拡開可能にする手段として、上記のように雄ネジ部１１の先端にスリット１３を形成する他、雄ネジ部１１の先端を一体成形、別体成形成等によって、拡開可能なゴム、弾性合成樹脂等の弾性材料にて形成しても良い。但し、雄ネジ部１１の先端にスリット１３を形成した場合には、雄ネジ部１１の先端を円滑、容易に拡開できるので最適である。
【００３７】
また、インナーパイプ１の上端部、ここでは、上部の雄ネジ部１１の上端に回動工具係止部１５を形成してなる。
【００３８】
回動工具係止部１５は、雄ネジ部１１の上端に、一対の突条を対向させて突設してなる回動工具係止突起１４にて形成するか、または、雄ネジ部１１の上端に線条の溝を形成してなる回動工具係止溝にて形成できる。
【００３９】
また、上記回動工具係止溝には、インナーパイプ１に形成されたスリット１３を兼用しても良く、図例では、回動工具係止突起１４及びスリット１３よりなる回動工具係止溝の両方が併設されたものを示している。
【００４０】
床板支持体２は、金属板、木板、合成樹脂板等で形成された床板支持板２３の中央に孔２１ａを開設し、この孔２１ａに、インナーパイプ１の上部の雄ネジ部１１に螺着する雌ネジ２１を刻設した雌ネジ管２２を下方に向けて垂設してなる。
【００４１】
ここでは、パイプ管を用いた雌ネジ管２２を床板支持板２３に固着したものを例示しているが、床板支持体２を形成する場合には、例えば、鍔付きの雌ネジ管２２の鍔部上に、パーティクルボード、繊維板、合板、木質板等の板体よりなる床板支持板２３を載置し、ネジ、釘等の止具にて固着して床板支持体２を形成しても良い。
【００４２】
台座体３は、前述した通り、インナーパイプ１の下部の雄ネジ部１１に螺着する雌ネジ３３を刻設した雌ネジ管３４を台座３２に突設してなる。
【００４３】
台座体３を形成する場合には、例えば、抜け止め用の短鍔部３４ａを設けた雌ネジ管３４を形成すると共に、この短鍔部３４ａ近傍を、ゴム、弾性合成樹脂等の弾性材料よりなる環状の台座３２に埋設して一体的に形成すれば良い。
【００４４】
また、図示しないが、雌ネジ管３４の下端にネジを形成すると共に、台座３２の内面に前記ネジに螺合される溝を形成しておき、これらを螺合することで雌ネジ管３４が台座３２に突設された台座体３を形成することもできる。
【００４５】
なお、台座３２は、上記弾性材料以外であっても形成することは可能であるが、弾性材料であれば、コンクリートなどの床板面に載置したときの粘性抵抗が強く、滑り難いため好ましい。
【００４６】
テーパーピン４は、中実の金属棒を基軸とし、この基軸の上端部及び下端部には、インナーパイプ１の上部及び下部の雄ネジ部１１の先端を拡開させるテーパー状先端部４１、４２を形成してなる。
【００４７】
具体的には、テーパー状先端部４１、４２は、図例のように、下方に向けて狭めた断面逆台形状に形成し、テーパーピン４をインナーパイプ１の内部に貫挿すれば、テーパー状先端部４１、４２の断面逆台形状のテーパー面に沿って、インナーパイプ１の雄ネジ部１１の先端をスムーズに拡開できる。
【００４８】
この場合、インナーパイプ１の下端内面は、下端縁に向けて狭められたテーパー部１６を形成し、テーパー状先端部４２の貫挿によって、その雄ネジ部１１の先端が拡開されるようにしている。
【００４９】
なお、テーパー状先端部４１、４２の形状は、前述の断面逆台形状の他、断面逆三角形状、断面菱形状、断面半円形状等にて形成しても良い。但し、断面逆台形状に形成した場合には、断面逆台形状のテーパー面に沿って、インナーパイプ１の雄ネジ部１１の先端を円滑に拡開できるので最適である。
【００５０】
上述のように構成した本発明の床支持脚体Ａは、以下の作用をなす。
【００５１】
インナーパイプ１の上部の雄ネジ部１１に床板支持体２３の雌ネジ管２２を螺着すると共に、下部の雄ネジ部１１に台座体３の雌ネジ管３１を螺着し、インナーパイプ１を左、右の何れかに回動すれば、床板支持体２及び台座体３を互いに接近または離反させて高さ調整が行われる。そして、所望の位置に高さ調整が完了すれば、インナーパイプ１の内部にテーパーピン４を貫挿し、上端部及び下端部のテーパー状先端部４１、４２によって、上部及び下部の雄ネジ部１１、１１の先端を拡開し、インナーパイプ１の回動を阻止・固定される。
【００５２】
このような本発明に係る床支持脚体Ａによれば、テーパーピン４の貫挿というワンタッチ操作によって、高さ調整後の固定を簡単、迅速に行うことができる。また、テーパーピン４による機械的固定であるため、従来のような接着剤による化学的固定（接着固定）に比して、確実に固定することができる。しかも、このような接着剤を用いない機械的固定であるため、長期間の使用に際して、経年変化して劣化するおそれがなく、長期間にわたって確実に固定強度を維持することができ、耐久性も良好であり、マンション等の二重床用支持脚体として有用である。
【００５３】
なお、図１及び図２で示した床支持脚体Ａは、インナーパイプ１の内部にテーパーピン４を貫挿したときに、上端部または下端部のテーパー状先端部４１によって、上部または下部の雄ネジ部１１の何れかの先端が拡開させる点で相違するだけであって、インナーパイプ１の回動を阻止・固定できる点では同じであるため、その説明は省略する。
【産業上の利用可能性】
【００５４】
本発明は、高さ調整後の固定が簡単、迅速、確実に行え、且つ、長期間にわたって確実に固定強度を維持することができ、耐久性も良好であり、マンション等の二重床用支持脚体として有用に利用することが可能である。
【図面の簡単な説明】
【００５５】
【図１】本発明に係る床支持脚体Ａの一実施例を示す分解斜視図である。
【図２】図２は、図１を組み付けた状態の縱断面図である。
【図３】本発明に係る床支持脚体Ａの他の実施例を示す分解斜視図である。
【図４】図４は、図３を組み付けた状態の縱断面図である。
【符号の説明】
【００５６】
Ａ      床支持脚体
１      インナーパイプ
１１    雄ネジ部
１２    無ネジ部
１３    スリット
１５    回動工具係止部
２      床板支持体
２１    雌ネジ
２２    雌ネジ管
２３    床板支持板
３      台座体
３１    雌ネジ管
３１ａ  雌ネジ
３２    台座
４      テーパーピン
４１    テーパー状先端部
【図１】
2006045810.tif 000003
【図２】
2006045810.tif 000004
【図３】
2006045810.tif 000005
【図４】
2006045810.tif 000006